(57)【要約】  粉末状の物質（２）を吸入するためのアセンブリが記載され、アセンブリは、複数の用量の物質（２）を保持するように構成された収納チャンバ（１５）と、収納チャンバ（１５）に対してそれを回転させたとき物質（２）を攪拌するように、収納チャンバ（１５）の中に回転可能に配置された処理部材（３０）とを備える。処理部材（３０）は、本体（９５）および切取り部（２９）を備え、本体（９５）は、処理部材（３０）の中実部分を含み、切取り部（２９）の角度寸法は、本体（９５）の角度寸法より小さい。さらに、物質（２）を攪拌するための処理部材（３０）の使用が提供される。さらに、粉末状の物質（２）を吸入するための吸入デバイス（１）が記載される。
2014533596.tif 000002
【特許請求の範囲】
【請求項１】
複数の用量の物質（２）を保持するように構成された収納チャンバ（１５）と、
収納チャンバ（１５）に対してそれを回転させたとき物質（２）を攪拌するように、収納チャンバ（１５）の中に回転可能に配置された処理部材（３０）と
を備え、
ここで、処理部材（３０）は、本体（９５）および切取り部（２９）を備え、本体（９５）は、処理部材（３０）の中実部分を含み、切取り部（２９）の角度寸法は、本体（９５）の角度寸法より小さい、吸入デバイス用のアセンブリ。
【請求項２】
処理部材（３０）はリング状に成形される、請求項１に記載のアセンブリ。
【請求項３】
切取り部（２９）は、本体（９５）の２つの側面（３０Ａ）によって境界を画され、側面（３０Ａ）は傾斜面状に成形される、請求項２に記載のアセンブリ。
【請求項４】
それぞれの側面（３０Ａ）は、収納チャンバ（１５）内に保持された物質（２）を通って動かされるように適合および配置され、それにより、処理部材（３０）を収納チャンバ（１５）に対して回転させたとき、収納チャンバ（１５）の内壁（９１）に近い部分に保持された物質（２）を粉砕する、請求項３に記載のアセンブリ。
【請求項５】
本体（９５）は、物質（２）を受けるために利用可能な収納チャンバ（１５）の内部容積を削減するように適合および配置され、切取り部（２９）は、物質（２）を受けるように構成される、請求項１〜４のいずれかに記載のアセンブリ。
【請求項６】
アセンブリはベース部材（１６）を備え、収納チャンバ（１５）は上端部（１５Ａ）および下端部（１５Ｂ）を備え、処理部材（３０）は上端部（１５Ａ）に配置され、ベース部材（１６）は下端部（１５Ｂ）に配置される、請求項１〜５のいずれかに記載のアセンブリ。
【請求項７】
処理部材（３０）は鍔（３２）を備え、鍔（３２）は、処理部材（３０）の外面に沿って周方向に提供される、請求項６に記載のアセンブリ。
【請求項８】
ベース部材（１６）は、収納チャンバ（１５）の上端部（１５Ｂ）の方向に付勢され、鍔（３２）は、ベース部材（１６）と機械的に協働するように適合および配置される、請求項７に記載のアセンブリ。
【請求項９】
本体（９５）、鍔（３２）および内壁（９１）は、ベース部材（１６）の一部（１６Ａ）を受けるための空間を画成する、請求項７または請求項８に記載のアセンブリ。
【請求項１０】
アセンブリは計量ロッド（３３）を備え、処理部材（３０）は中央の開口部（９３）を備え、中央の開口部（９３）は、収納チャンバ（１５）から物質（２）の部分量（１４）を取り出すために、計量ロッド（３３）が中央の開口部（９３）を通って移動するのに十分な大きさである、請求項１〜９のいずれかに記載のアセンブリ。
【請求項１１】
処理部材（３０）は、処理部材（３０）を収納チャンバ（１５）に対して回転させたとき、収納チャンバ（１５）内に保持された物質（２）がすりつぶされるのを防止するように適合および配置された滑らかな面取り部を備える、請求項１〜１０のいずれかに記載のアセンブリ。
【請求項１２】
吸入デバイス（１）の収納チャンバ（１５）の中に保持された物質（２）を攪拌するための処理部材（３０）の使用であって、処理部材（３０）はリング状に成形され、処理部材（３０）は、本体（９５）および切取り部（２９）を備え、切取り部（２９）の角度寸法は、本体（９５）の角度寸法より小さい上記使用。
【請求項１３】
請求項１〜１１のいずれかに記載のアセンブリを備える、粉末状の物質（２）を吸入するための吸入デバイス（１）。
【発明の詳細な説明】
【技術分野】
【０００１】
本開示は、吸入デバイス用のアセンブリ、そうしたアセンブリを備える吸入デバイス、およびそうした吸入デバイスの収納チャンバの中に保持された物質を攪拌するための処理部材（ｏｒｇａｎｉｚｉｎｇ  ｍｅｍｂｅｒ）の使用に関する。
【背景技術】
【０００２】
吸入デバイスは、例えば特許文献１に記載されている。
【先行技術文献】
【特許文献】
【０００３】
【特許文献１】ＷＯ２００９／０６５７０７Ａ１
【発明の概要】
【発明が解決しようとする課題】
【０００４】
本開示の一目的は、改善された吸入デバイス、例えばより効率的な吸入デバイス用のアセンブリを提供することである。さらに、本開示の一目的は、改善された吸入デバイスを提供することである。さらに、本開示の一目的は、改善された吸入デバイスの提供を容易にするために、処理部材の使用を提供することである。
【課題を解決するための手段】
【０００５】
この目的は、特に独立請求項の主題によって達成することができる。有利な実施形態および改善は、従属請求項の主題である。しかしながら、特許請求されているものに加えて、他の有利な概念が本明細書において開示されることがある。
【０００６】
一態様は、吸入デバイス用のアセンブリに関し、特に、例えば粉末状の物質を吸入するためのアセンブリに関する。アセンブリは、収納チャンバを備える。収納チャンバは、少なくとも１用量、好ましくは複数の用量の物質を保持するように構成することができる。アセンブリは、処理部材をさらに備えることができる。処理部材は、収納チャンバの中に回転可能に配置することができる。処理部材は、収納チャンバの長手方向の主軸周りで回転するように適合および配置することができる。処理部材は、処理部材を収納チャンバに対して回転させたとき物質を攪拌するように適合および配置することができる。処理部材は、本体を備えることができる。本体は、処理部材の中実部分を含むことができる。処理部材、特に処理部材の本体は、切取り部（ｃｕｔ−ｏｕｔ）を備えることができる。本体は、ある角度寸法を備えることができる。切取り部は、ある角度寸法を備えることができる。切取り部の角度寸法は、本体の角度寸法より小さくすることができる。
【０００７】
処理部材、特に処理部材の本体は、収納チャンバの中の物質に利用可能な容積を削減することができる。例えば本体より小さい角度寸法を有する処理部材の切取り部の中に、粉体のみを受けることができる。処理部材のこの特定の形状によって、物質の最終用量を送達した後に収納チャンバ内に残る残留容積を最小限に抑えることができる。このことは、高い費用効果の吸入デバイスの提供を容易にするのを助けることができる。
【０００８】
それに加えて、処理部材は、特に切取り部によって与えられるその非対称な形状により、収納チャンバ内の物質を攪拌することができる。換言すれば、切取り部は対称性を破るものの機能を有することができる。特に処理部材を回転させたとき、収納チャンバの内壁の近くに配置されることがある粉体、特に粉体ブリッジ（ｐｏｗｄｅｒ  ｂｒｉｄｇｅ）を切取り部の中に受けることができ、したがって、粉砕することができる。粉体ブリッジは、収納チャンバの内壁に沿って配置されることがある。粉体ブリッジは、収納チャンバのばね懸架式の底部が計量チャンバに向かって動くのを妨げる可能性がある。底部は、物質を計量チャンバに近づけるために使用される。したがって、粉体ブリッジは、物質が計量チャンバに近づくのを妨げ、したがって、最終的に使用者に投薬されるのを妨げる。換言すれば、粉体ブリッジの形成によって、物質の用量の次の設定および投薬が妨げられる。処理部材は、粉体ブリッジを粉砕するように構成され、したがって、連続的かつ確実なデバイスの動作を可能にする。このことは、効率的かつ確実な吸入デバイスの提供を容易にするのを助けることができる。
【０００９】
他の態様は、吸入デバイスに関する。吸入デバイスは、粉末状の物質の吸入に適合させることができる。デバイスは、前述のアセンブリを備えることができる。
【００１０】
アセンブリによって、特に処理部材によって、前述のように収納チャンバ内での粉体ブリッジの形成を防止することができる。したがって、きわめて効率的な改善された吸入デバイスを実現することができる。
【００１１】
他の態様は、粉末状の物質を攪拌するための処理部材の使用に関する。物質は、吸入デバイスの収納チャンバの中に保持することができる。吸入デバイスは、前述の吸入デバイスとすることができる。処理部材は、リング状に成形することができる。処理部材は、本体を備えることができる。本体は、中実にすることができる。処理部材は、切取り部を備えることができる。特に、リング状の処理部材の本体は、切取り部によって分割することができる。切取り部の角度寸法は、本体の角度寸法より小さくすることができる。
【００１２】
処理部材は、デバイスの収納チャンバの中で使用するように適合および配置することができる。中実な本体を使用して、収納チャンバ内の利用可能な容積を削減することができる。切取り部は、処理部材に対して対称性を破るものとして使用することができる。特に処理部材の特定の形状によって、処理部材が収納チャンバに対して動いたとき、収納チャンバ内に保持された粉末状の物質を攪拌することができる。収納チャンバ内での粉体ブリッジの形成を防止することができる。
【００１３】
有利な実施形態に従って、吸入デバイス用のアセンブリが記載される。アセンブリは：
−複数の用量の物質を保持するように構成された収納チャンバと、
−収納チャンバに対してそれを回転させたとき物質を攪拌するように、収納チャンバの中に回転可能に配置された処理部材と
を備える。処理部材は、本体および切取り部を備え、本体は、処理部材の中実部分を含み、切取り部の角度寸法は、本体の角度寸法より小さい。
【００１４】
有利な実施形態に従って、粉末状の物質を吸入するための吸入デバイスが記載される。デバイスは、これまでに言及したアセンブリを備える。
【００１５】
有利な実施形態に従って、吸入デバイスの収納チャンバ内に保持された粉末状の物質を攪拌するための処理部材の使用が記載される。処理部材は、リング状に成形される。処理部材は、本体および切取り部を備え、切取り部の角度寸法は、本体の角度寸法より小さい。
【００１６】
もちろん、異なる態様および実施形態に関連して前述した特徴は、互いに、また以下に記載する特徴と組み合わせることができる。
【００１７】
他の特徴および改善形態は、添付図面に関連する例示的な実施形態の以下の説明から明らかになる。
【００１８】
図中、類似の要素、同じ種類の要素および同様に作動する要素は、同じ参照番号で示されることがある。
【図面の簡単な説明】
【００１９】
【図１】吸入デバイスの断面側面図を概略的に示す図である。
【図２】吸入デバイスの一部の断面側面図を概略的に示す図である。
【図３】処理部材の斜視側面図を概略的に示す図である。
【発明を実施するための形態】
【００２０】
図１および２は、吸入デバイス１または吸入デバイス１の各部分を示している。吸入デバイス１は、使用者の吸入気流によって作動するように構成される。吸入デバイス１は、ハウジング３を備える。デバイス１は、外側シリンダ４を備える。外側シリンダ４は、ハウジング３に対する軸方向運動を防ぐように固定される。外側シリンダ４は、ハウジング３に対して回転可能である。
【００２１】
吸入デバイス１は、マウスピース６をさらに備える。空気は、マウスピース６を介して吸入デバイス１に吸い込まれる。吸入デバイス１は、キャップ７を備える。キャップ７は、マウスピース６を覆うために用いられる。キャップ７は、例えばねじ込みキャップを含む。キャップ７をデバイス１に対して回して締め、またキャップ７をデバイス１から回して外すために、キャップ７は、ハウジング３に対して回転可能にすることができる。外側シリンダ４は、キャップ７に回転式に連結され、特に回転式にロックされる。特に外側シリンダ４は、キャップ７のハウジング３に対する回転に従う。吸入デバイス１の構成要素およびそれらの機械的な協働に関する詳細な説明については、その内容全体を参照によって本説明に明示的に組み入れる、文書ＷＯ２００９／０６５７０７Ａ１を参照する。
【００２２】
デバイス１は、収納チャンバ１５を備える。収納チャンバ１５は、１用量、好ましくは複数の用量の物質２を保持する。物質は、薬物を含むことができる。
【００２３】
物質２は、粉体を含むことができる。収納チャンバ１５は、底部１５Ｂおよび頂部１５Ａを備える。頂部１５Ａは、デバイス１のマウスピース６に最も近い部分とすることができる。底部１５Ｂは、マウスピース６から最も遠い部分とすることができる。
【００２４】
吸入デバイス１は、ベース１６をさらに備える。収納チャンバ１５、特に収納チャンバ１５の下部１５Ｂは、ベース１６によって終わる。ベース１６は、カップ状に形成される。カップ状のベース１６の開放端は、吸入デバイス１のマウスピース６の方を向く。ベース１６は、環状のリップ１６Ａを備える。リップ１６Ａは、ベース１６のマウスピース６に最も近い端部に配置することができる。リップ１６Ａは、エラストマー材料を含むことができる。リップ１６Ａは、収納チャンバ１５の内壁９１から物質２を剥がすように構成することができる。ベース１６は、収納チャンバ１５を封止することができる。使用者が吸入するために物質２がチャンバ１５から取り出されたとき、ベース１６がマウスピース６に向かって動き、それによって収納チャンバ１５の容積を削減することができる。
【００２５】
デバイス１は、ばね１７をさらに備える。ばね１７は、圧縮ばねとすることができる。ベース１６は、文書ＷＯ２００９／０６５７０７Ａ１に詳しく記載されるように、ばね１７によってマウスピース６の方向にばね懸架される。デバイス１の動作中、収納チャンバ１５が徐々に空になると、ばね１７はベース１６をマウスピース６の方向に押し進める。換言すれば、ばね１７によって、ベース１６は一定のばねの圧力を受ける。こうして、吸入デバイス１が使用される間、物質２が圧縮される。
【００２６】
収納チャンバ１５、特に収納チャンバ１５の頂部１５Ａは、チャンバの天井２４によって終わる。デバイス１は、回転部材２５をさらに備える。回転部材２５は、回転式に固定された形で外側シリンダ４に連結される。それに応じて、回転部材２５は、外側シリンダ４の回転、したがって、キャップ７の収納チャンバ１５に対する長手方向の主軸ｘ周りの回転に従う。
【００２７】
チャンバの天井２４は、中央の貫通口を備える。回転部材２５の円筒部２５Ａが、チャンバの天井２４の中央の貫通口を通って延びる。円筒部２５Ａの下側の自由端面は、収納チャンバ１５を覆うチャンバの天井２４の面の平面内に位置する。チャンバの天井２４内の貫通口の直径は、回転部材２５の円筒部２５Ａの直径より大きい。
【００２８】
デバイス１は、処理部材３０をさらに備える。処理部材３０は、キャップ７と共に回転するデバイス１の一部、例えば外側シリンダ４に回転式にロックされる。処理部材３０は、例えば円筒部２５Ａに回転式にロックされる。処理部材３０は、収納チャンバ１５の中に位置する。処理部材３０は、ホルダ１８を備える（図３も参照）。ホルダ１８は、処理部材３０の一部である。ホルダ１８および処理部材３０は、一体で形成される。ホルダ１８は、処理部材３０のマウスピース６に最も近い端部に位置する。ホルダ１８は、環状の形状を備える。ホルダ１８は、天井２６の貫通口の壁と円筒部２５Ａの外面との間に残る環状のギャップの中に位置する。処理部材３０は、そのホルダ１８によって円筒部２５Ａに連結される。処理部材３０は、円筒部２５Ａにカチッと留めて固定することができる。ホルダ１８は、処理部材３０を円筒部２５Ａにカチッと留めるために突出部１８Ａ（図３参照）を備える。ホルダ１８によって、処理部材３０は円筒部２５Ａに回転式に軸方向にロックされる。換言すれば、処理部材３０は、回転部材２５の円筒部２５Ａに対する軸方向の回転運動を防ぐように固定される。したがって、処理部材３０は、回転部材２５と共にデバイス１の長手方向の主軸ｘ周りで回転することができる。図３に関連して、処理部材３０についてさらに詳しく記載する。
【００２９】
デバイス１は、計量ロッド３３をさらに備える。計量ロッド３３は、回転部材２５との機械的な協働によって回転部材２５に回転式にロックされる。それに応じて、計量ロッド３３は、キャップ７がデバイス１に取り付けられる、またはデバイス１から取り外されると、キャップ７、したがって回転部材２５の長手方向の主軸ｘ周りの回転運動に従う。
【００３０】
デバイス１は、封止部（ｓｅａｌｉｎｇ）３１をさらに備える。円筒部２５Ａは、その中央に封止部３１を収容する。封止部３１は、ゴム材料または同様の弾性材料からなる。封止部３１は、その中央にスロット状の案内開口部を備える。開口部は、計量ロッド３３を受けるように適合および配置される。
【００３１】
計量ロッド３３は、計量チャンバ４０を備える。計量チャンバ４０は、計量ロッド３３の回転軸からオフセットされて位置する。回転軸は、吸入デバイス１の長手方向の主軸ｘである。計量ロッド３３は、収納チャンバ１５の中で回転した後、そのチャンバ１５からマウスピース６の方向に完全に引っ込められる。計量ロッド３３の動作の詳細な説明については、文書ＷＯ２００９／０６５７０７Ａ１を参照する。計量ロッド３３は、物質２の部分量１４（ｓｕｂ−ｑｕａｎｔｉｔｙ）をチャンバ１５から取り出すための可動計量チャンバ４０として機能するように構成され、その部分量１４が患者に送達される。計量チャンバ４０は、物質２の中に突出する計量ロッド３３の端部に形成される。計量チャンバ４０は、計量ロッド３３の広い側面に対して偏心して配設される。換言すれば、計量チャンバ４０は、長手方向の主軸ｘに対して横方向にオフセットされる。
【００３２】
計量チャンバ４０を物質２の部分量１４で充填するために、計量ロッド３３、したがって計量チャンバ４０を収納チャンバ１５の中で回転させたとき、計量ロッド３３は、例えば穿孔するのと同様に、物質２の中に空洞を形成する。空洞は、計量ロッド３３の断面に対応する形状を有する。換言すれば、計量ロッド３３の動作中、物質２は、収納チャンバ１５の内壁９１に向かって半径方向外側の方向に押し進められる。計量ロッド３３によって及ぼされるこの半径方向外側を向いた力は、さらにベース１６によって物質２に及ぼされるマウスピース６の方向の力と共に、収納チャンバ１５の内壁９１の近くに、物質２の塊、いわゆる粉体ブリッジを生じさせる可能性がある。特に、こうした粉体ブリッジは、収納チャンバ１５の内壁９１に沿って延びる。最悪の場合、粉体ブリッジによって、デバイス１の動作中、収納チャンバ１５が徐々に空になる間に、ベース１６を残りの物質２と共にマウスピース６の方向に押すことができなくなる可能性がある。このことは、もはや残りの物質２を計量ロッド３３に届く範囲に押し込むことができなくなり、したがって、もはや物質２がデバイス１から送達されなくなることを意味する。この場合、大量の物質２が収納チャンバ１５の中に使用されずに残ることになる。さらに、使用者が、ある量の物質２の実際の投薬を伴わない用量送達動作を引き起こす可能性がある。これは、使用者にとって致命的な結果になり得る。
【００３３】
処理部材３０は、前記粉体ブリッジの形成を回避するように適合および配置される。特に、処理部材３０は、処理部材３０を収納チャンバ１５に対して軸方向の主軸のまわりで回転させたとき物質２を攪拌するように、収納チャンバ１５の中に配置される。攪拌は便宜上、収納チャンバ１５の内壁９１および計量ロッド３３が動作する領域に隣接する領域の近くで行われる。
【００３４】
図３は、処理部材の斜視側面図を概略的に示している。処理部材３０は、例えば図２に明示的に示す収納チャンバ１５の中に配置される。特に処理部材３０は、上述のように収納チャンバ１５の上端部１５Ａに配置される。処理部材３０は、チャンバの天井２４の近くに配置される。
【００３５】
処理部材３０は、リング状またはトーラス状に成形される。処理部材３０は、環状の形状を備える。処理部材３０は、リング、特に後で詳しく記載する開放リングを備えることができる。処理部材３０は、扁円の形状または平坦な形状を備えることができる。処理部材３０は滑らかな外形を備える。特に処理部材３０は、滑らかな面取り部９２を備える。処理部材３０は、本体９５を備える。本体９５は中実である。本体９５は、収納チャンバ１５内の容積、特に物質２に利用可能な容積を削減する。処理部材３０、特に本体９５は、切取り部２９を備える。切取り部２９は、本体９５の対称性を破るものとして形成される。切取り部２９の中に、物質２を受けることができる。
【００３６】
切取り部２９は、処理部材３０の本体９５全体を通して延びることができる。切取り部２９は、処理部材３０の上端から下端に向かって先を細くすることができる。上端は、処理部材３０のマウスピース６に最も近い端部とすることができる。下端は、マウスピース６から最も遠い端部とすることができる。あるいは、切取り部２９は、本体９５の窪み（図には明示せず）を含むことができる。本体９５は、２つの側面３０Ａを備える。側面３０Ａは、互いに向かい合って配置される。側面３０Ａは、切取り部２９の横方向の境界を画す。側面３０Ａは、傾斜面状に成形される。側面３０Ａは、デバイス１の長手方向の主軸に対して傾斜している。側面３０Ａは、丸く、特に滑らかな縁部を備える。
【００３７】
処理部材３０の本体９５は、ある角度寸法、特に処理部材３０の回転方向の寸法を備える。切取り部２９は、ある角度寸法、特に処理部材３０の回転方向の寸法を備える。切取り部２９の角度寸法は、本体９５の角度寸法より小さい。本体９５の角度寸法は、３５０°より小さくすることができる。本体９５の角度寸法は、２７０°より大きくする、好ましくは２９０°または３００°より大きくすることができる。本体９５の角度寸法は、２７０°と３５０°の間にすることができる。本体９５の角度寸法は、例えば３１５°にすることができる。切取り部２９の角度寸法は、１０°より大きくすることができる。切取り部２９の角度寸法は、９０°より小さくする、好ましくは６０°より小さくまたは５０°より小さくすることができる。切取り部２９の角度寸法は、１０°と９０°の間にすることができる。好ましくは、切取り部２９の角度寸法は、例えば４５°である。
【００３８】
処理部材３０のこの特定の形状によって、最終用量が投薬された後に収納チャンバ１５の中に残り得る残留容積９０を最小限に抑えることができる。最終用量が投薬されると、処理部材３０はベース１６と機械的に協働するようになる。特に本体９５は、ベース１６の上端と当接することができる。処理部材３０の形状は、最終用量が送達された後、物質２に対してベース１６と処理部材３０との間の最小限の空間しか利用できなくなるように、ベース１６の形状に適合させることができる。こうして、デバイス１の中に残る物質２の残留量９０が最小限に抑えられる。
【００３９】
処理部材３０は、外面３０Ｂおよび内面３０Ｃを備える。処理部材３０は、鍔３２を備える。鍔３２は、処理部材３０の外面３０Ｂ周りで周方向に提供される。鍔３２は、外面３０Ｂから１ｍｍ以下、例えば約０．２ｍｍの距離にわたって突出する。鍔３２は本体９５から突出するが、鍔３２と内壁９１との間に最小限の量の物質２しか受けることができないように選択される。
【００４０】
物質２の最終用量が投薬された後、鍔３２はベース部材１６と機械的に協働するようになる。本体９５、鍔３２および内壁９１は、ベース部材１６のリップ１６Ａを受けるための空間を画成する。特に鍔３２は、ベース部材１６のリップ１６Ａと係合する。こうして、リップ１６Ａと鍔３２との間では、物質２に利用可能な容積がなくなるか、または小さい容積しか利用できなくなる。このことは、最終用量が投薬された後、収納チャンバ１５の中に残る物質２の残留量９０をさらに減らすのを助けることができる。全体としては、物質２の残留量９０は、処理部材３０の特定の形状により、文書ＷＯ２００９／０６５７０７Ａ１に記載されるロータ・リング３０に比べて、少なくとも物質２の４０部分量１４だけ減らすことができる。好ましくは、物質２の残留量９０は、処理部材３０の特定の形状により、物質２の５０部分量１４だけ減らすことができる。
【００４１】
処理部材３０は、中央の開口部９３を備える（図２参照）。中央の開口部は、直径ｄを有する。直径ｄは、開口部９３が計量ロッド３３を受けることができる十分な大きさである。換言すれば、開口部９３は、計量チャンバ４０を収納チャンバ１５の内外に動かすために、計量ロッド３３が処理部材３０を通って移動することができる十分な大きさである。処理部材３０の中央の開口部９３の中に、物質２を受けることができる。
【００４２】
以下では、物質２を攪拌するための処理部材３０の動作について記載する：
【００４３】
キャップ７がデバイス１に取り付けられる、またはデバイス１から取り外されると、外側シリンダ４、したがって処理部材３０が、収納チャンバ１５に対して長手方向の主軸ｘ周りで回転する。キャップ７が吸入デバイス１から取り外されると、処理部材３０は第１の方向に回転する。キャップ７が吸入デバイス１に取り付けられると、処理部材３０は収納チャンバ１５に対して第２の方向に回転する。処理部材３０を回転させたとき、それぞれの側面３０Ａが物質２を通って動き、特に物質２をすくう。それによって、側面３０Ａが物質２を粉砕する。特に、収納チャンバ１５の内壁９１に近い部分に保持された物質２が、側面３０Ａによって粉砕される。こうして、物質２の塊の形成、特に粉体ブリッジの形成が防止される。
【００４４】
処理部材３０を回転させたとき、物質２は、側面３０Ａの半径方向内側を向いた滑らかな縁部を越えて半径方向内側の方向に流れることができる。それに応じて、側面３０Ａは、物質２を中央の開口部９３の中に、計量チャンバ４０に向かって動かす。したがって、外側シリンダ４に回転式にロックされた計量ロッド３３が回転するとき、計量チャンバ４０を物質２の部分量１４で充填することができる。
【００４５】
処理部材３０が滑らかな外形を備えるため、処理部材３０を収納チャンバ１５に対して回転させたとき、物質２はすりつぶされない。したがって、処理部材３０の滑らかな外形により、物質２の細かい粒子の割合の増加を防止することができる。
【００４６】
本明細書において使用される用語、薬物は、例えば、喘息もしくは慢性閉塞性肺疾患（ＣＯＰＤ）のような閉塞性気道または肺疾患、局所的な気道浮腫、炎症、ウイルス性、細菌性、真菌性または他の感染症、アレルギー、真性糖尿病の処置のための、少なくとも１つの薬学的に活性な化合物を含む医薬製剤を意味することがある。
【００４７】
活性な医薬化合物は、好ましくは、吸入に適した活性な医薬化合物、好ましくは抗アレルギー薬、抗ヒスタミン薬、抗炎症薬、鎮咳薬、気管支拡張薬、抗コリン作用薬およびそれらの組み合わせからなる群から選択される。
【００４８】
活性な医薬化合物は、例えば以下から選択することができる：
ヒトインスリンのようなインスリン、例えば組換えヒトインスリン、もしくはヒトインスリン類似体もしくは誘導体、グリカゴン様ペプチド（ＧＬＰ−１）もしくはその類似体もしくはその誘導体、もしくはエキセンジン−３もしくはエキセンジン−４、もしくはエキセンジン−３もしくはエキセンジン−４の類似体もしくは誘導体；
短時間作用型β２アゴニスト（例えばサルブタモール、アルブテロール、レボサルブタモール、フェノテロール、テルブタリン、ピルブテロール、プロカテロール、ビトルテロール、リミテロール、カルブテロール、ツロブテロール、レプロテロール）、長時間作用型β２アゴニスト（ＬＡＢＡ、例えばアルホルモテロール、バンブテロール、クレンブテロール、ホルモテロール、サルメテロール）、ウルトラＬＡＢＡ（例えばインダカテロール）のようなアドレナリン作動薬、もしくは別のアドレナリン作動薬（例えばエピネフリン、ヘキソプレナリン、イソプレナリン（イソプロテレノール）、オルシプレナリン（メタプロテレノール））；
グルココルチコイド（例えばベクロメタゾン、ブデソニド、シクレソニド、フルチカゾン、モメタゾン、フルニソリド、ベタメタゾン、トリアムシノロン）；
抗コリン作用薬もしくはムスカリンアンタゴニスト（例えば臭化イプラトロピウム、臭化オキシトロピウム、臭化チオトロピウム）；
肥満細胞安定化薬（例えばクロモグリケート、ネドクロミル）；
キサンチン誘導体（例えばドキソフィリン、エンプロフィリン、テオブロミン、テオフィリン、アミノフィリン、コリンテオフィリネート）；
ロイコトリエンアンタゴニスト（例えばモンテルカスト、プランルカスト、ザフィルルカスト）のようなエイコサノイド阻害剤、リポキシゲナーゼ阻害剤（例えばジロイトン）、もしくはトロンボキサン受容体アンタゴニスト（例えばラマトロバン、セラトロダスト）；
ホスホジエステラーゼタイプ４阻害剤（例えばロフルミラスト）；
抗ヒスタミン薬（例えばロラタジン、デスロラタジン、セチリジン、レボセチリジン、フェキソフェナジン）；
アレルゲン免疫療法（ａｌｌｅｒｇｅｎ  ｉｍｍｕｎｏｔｈｅｒａｐｙ）（例えばオマリズマブ）；
粘液溶解薬（ｍｕｃｏｌｙｔｉｃ）（例えばカルボシステイン、エルドステイン、メシステイン）；
抗生物質もしくは抗真菌物質；
またはこれまでに言及した化合物種もしくは化合物のいずれか２つ、３つもしくはそれ以上の組み合わせ（例えばブデソニド／ホルモテロール、フルチカゾン／サルメテロール、臭化イプラトロピウム／サルブタモール、モメタゾン／ホルモテロール）；
またはこれまでに挙げた化合物のいずれかの薬学的に許容される塩もしくは溶媒和物もしくはエステル。
【００４９】
薬学的に許容される塩は、例えば酸付加塩および塩基性塩である。酸付加塩は、例えば塩化物、臭化物、ヨウ化物、硝酸、炭酸、硫酸、メチル硫酸、リン酸、酢酸、安息香酸、ベンゼンスルホン酸、フマル酸、マロン酸、酒石酸、コハク酸、クエン酸、乳酸、グルコン酸、グルタミン酸、エデト酸、メシル酸、パモ酸、パントテン酸またはヒドロキシナフトエ酸の塩である。塩基性塩は、例えばアルカリもしくはアルカリ土類から選択されるカチオン、例えばＮａ＋もしくはＫ＋もしくはＣａ２＋、またはアンモニウムイオンＮ＋（Ｒ１）（Ｒ２）（Ｒ３）（Ｒ４）を有する塩であり、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する。薬学的に許容される塩の他の例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。薬学的に許容されるエステルは、例えば酢酸エステル、プロピオン酸エステル、リン酸エステル、コハク酸エステルまたはエタボン酸エステルとすることができる。
【００５０】
薬学的に許容される溶媒和物は、例えば水和物である。
【００５１】
他の実装形態も、以下の特許請求の範囲の範囲内である。異なる実装形態の要素を組み合わせて、本明細書に具体的に記載されていない実装形態を形成することが可能である。
【符号の説明】
【００５２】
１      デバイス
２      物質
３      ハウジング
４      外側シリンダ
６      マウスピース
７      閉鎖キャップ
８      遠位端
９      近位端
１４    物質の部分量
１５    収納チャンバ
１５Ａ  上端部
１５Ｂ  下端部
１６    ベース部材
１６Ａ  リップ
１７    圧縮ばね
１８    ホルダ
２４    チャンバの天井
２５    回転部材
２９    切取り部
３０    処理部材
３０Ａ  側面
３０Ｂ  外面
３０Ｃ  内面
３１    封止部
３２    鍔
３３    計量ロッド
４０    計量チャンバ
ｘ      デバイスの軸
９０    残留容積
９１    内壁
９２    面取り部
ｄ      直径
９３    中央の開口部
９４    外面
９５    本体
【図１】
2014533596.tif 000003
【図２】
2014533596.tif 000004
【図３】
2014533596.tif 000005
【国際調査報告】
2014533596.tif 000006
2014533596.tif 000007
2014533596.tif 000008